(57)【要約】  本提案は、内部で移動無線通信装置（９０、９２）が小容量データ転送機能へのアクセスを伴う動作を行う移動無線通信ネットワーク（８８）であって、前記移動無線通信装置（９０、９２）により開始された小容量データ転送シグナリング（１００）を受信するよう構成された第１のネットワーク装置（９４）と、前記ネットワーク（８８）内の前記移動無線通信装置（９０、９２）のために試みられる小容量データ転送通信の確立手続き（１０２）の一部として前記第１のネットワーク装置（９４）からのシグナリングを受信するよう構成された第２のネットワーク装置（９６）と、を有し、前記第１のネットワーク装置（９４）は、さらに、前記第２のネットワーク装置（９６）とのシグナリングの交換（１０２）に応じて、前記移動無線通信装置（９０、９２）に対する小容量データ転送を妨げるべきか否かを決定し、小容量データ転送が妨げられる場合には、前記移動無線通信装置（９０、９２）の制御用に小容量データ転送拒否メッセージ（１０４）を発動するよう構成されている移動無線通信ネットワーク、及び関連するネットワーク動作方法及びネットワーク端末／ノード装置を提供する。【選択図】図３
2016533054.tif 000002
【特許請求の範囲】
【請求項１】
内部で移動無線通信装置が小容量データ転送（Small Data Transmission）機能へのアクセスを伴う動作を行う移動無線通信ネットワークであって、前記移動無線通信装置により開始された小容量データ転送シグナリングを受信するよう構成された第１のネットワーク装置と、前記ネットワーク内の前記移動無線通信装置のために試みられる小容量データ転送通信の確立手続きの一部として前記第１のネットワーク装置からのシグナリングを受信するよう構成された第２のネットワーク装置と、を有し、前記第１のネットワーク装置は、さらに、前記移動無線通信装置に対する小容量データ転送を妨げるべきか否かを決定し、小容量データ転送が拒否される場合には、前記移動無線通信装置の制御用に小容量データ転送拒否メッセージを発動するよう構成されている
移動無線通信ネットワーク。
【請求項２】
前記第１のネットワーク装置がＳＧＳＮ／ＭＭＥを有する
請求項１に記載の移動無線通信ネットワーク。
【請求項３】
前記第２のネットワーク装置がサーバ装置を有する
請求項１又は２に記載の移動無線通信ネットワーク。
【請求項４】
前記サーバがホーム・サブスクライバー・サーバ（Home Subscriber Server）を有する
請求項３に記載の移動無線通信ネットワーク。
【請求項５】
前記第１のネットワーク装置は、前記第２のネットワーク装置とのシグナリングの交換に応じて、小容量データ転送を妨げるべきか否かを決定するよう構成されている
請求項１乃至４のいずれか１項に記載の移動無線通信ネットワーク。
【請求項６】
前記確立手続きの一部としての前記第１のネットワーク装置と前記第２のネットワーク装置との間の前記シグナリングの交換が、前記第１のネットワーク装置から前記第２のネットワーク装置へ送信される問合せ信号を含むよう構成された
請求項５に記載の移動無線通信ネットワーク。
【請求項７】
前記小容量データ転送拒否メッセージが、前記第１のネットワーク装置から前記移動無線通信装置に直接送信されるよう構成された
請求項１乃至６のいずれか１項に記載の移動無線通信ネットワーク。
【請求項８】
前記第１のネットワーク装置がＭＴＣ／ＩＷＦ装置を有する
請求項１に記載の移動無線通信ネットワーク。
【請求項９】
前記第２のネットワーク装置がサーバ装置を有する
請求項８に記載の移動無線通信ネットワーク。
【請求項１０】
前記サーバがサービス能力サーバ（Service Capability Server）／アプリケーションサーバ（Application Server）を有する
請求項９に記載の移動無線通信ネットワーク。
【請求項１１】
前記第１のネットワーク装置は、前記第２のネットワーク装置とのシグナリングの交換に応じて、小容量データ転送を妨げるべきか否かを決定するよう構成されている
請求項８、９及び１０のいずれか１項に記載の移動無線通信ネットワーク。
【請求項１２】
前記第１及び第２のネットワーク装置間の前記シグナリングの交換が、前記ＭＴＣ−ＩＷＦと前記ＳＣＳ／ＡＳとの間の承認／認証シグナリングを含むよう構成された
請求項１１に記載の移動無線通信ネットワーク。
【請求項１３】
前記第２のネットワーク装置がホーム・サブスクライバー・サーバ（Home Subscriber Server）を有する
請求項１１又は１２に記載の移動無線通信ネットワーク。
【請求項１４】
前記第１及び第２のネットワーク装置間の前記シグナリングの交換が、前記ホーム・サブスクライバー・サーバに向けられた問合せシグナリングを含むよう構成された
請求項１３に記載の移動無線通信ネットワーク。
【請求項１５】
前記ＭＴＣ−ＩＷＦ装置から前記移動無線通信装置への前記小容量データ転送拒否メッセージをさらなるネットワーク装置を介して配信するよう構成された
請求項８乃至１４のいずれか１項に記載の移動無線通信ネットワーク。
【請求項１６】
前記さらなるネットワーク装置がＳＧＳＮ／ＭＭＥを有する
請求項１５に記載の移動無線通信ネットワーク。
【請求項１７】
前記小容量データ転送拒否メッセージが、拒否の原因の明示を含むよう構成された
請求項１乃至１６のいずれか１項に記載の移動無線通信ネットワーク。
【請求項１８】
前記拒否の原因の明示が、サブスクリプション関連の原因又は非サブスクリプション関連の原因の一つを示すよう構成された
請求項１７に記載の移動無線通信ネットワーク。
【請求項１９】
前記移動無線通信装置で受信された前記小容量データ転送拒否メッセージが、移動無線通信装置が前記小容量データ転送機能にアクセスできない時間の長さを制御するための期間情報を含むよう構成された
請求項１乃至１８のいずれか１項に記載の移動無線通信ネットワーク。
【請求項２０】
前記移動無線通信装置で受信された前記小容量データ転送拒否メッセージが、アプリケーション内の異なる小容量データ転送手続きを区別するための小容量データ転送識別子を含むよう構成された
請求項１乃至１９のいずれか１項に記載の移動無線通信ネットワーク。
【請求項２１】
前記移動無線通信装置内のアプリケーションの制御のため、前記小容量データ転送拒否メッセージに応じて、転送拒否メッセージが前記移動無線通信装置において発動されるよう構成された
請求項１乃至２０のいずれか１項に記載の移動無線通信ネットワーク。
【請求項２２】
前記転送拒否メッセージが、拒否の原因の明示、前記移動無線通信装置の前記小容量データ転送機能へのアクセスを妨げる時間の長さを制御するための期間情報、及び小容量データ転送識別子の少なくとも一つを含む
請求項２１に記載の移動無線通信ネットワーク。
【請求項２３】
内部で移動無線通信装置が小容量データ転送機能へのアクセスを伴う動作を行う移動無線通信ネットワーク内での小容量データ転送機能の使用を制御する方法であって、前記移動無線通信装置により開始された小容量データ転送シグナリングを第１のネットワーク装置で受信し、前記ネットワーク内の前記移動無線通信装置のために試みられる小容量データ転送通信の確立手続きの一部として前記第１のネットワーク装置からのシグナリングを第２のネットワーク装置で受信し、前記第１のネットワーク装置で前記移動無線通信装置に対する小容量データ転送を妨げるべきか否かを決定することにより、小容量データ転送が拒否される場合には、移動無線通信装置の制御用に小容量データ転送拒否メッセージを発動するステップを含む
方法。
【請求項２４】
前記方法内で採用される前記第１のネットワーク装置がＳＧＳＮ／ＭＭＥを有する
請求項２３に記載の方法。
【請求項２５】
前記方法内で採用される前記第２のネットワーク装置がサーバ装置を有する
請求項２３又は２４に記載の方法。
【請求項２６】
前記サーバ装置がホーム・サブスクライバー・サーバ（Home Subscriber Server）を有する
請求項２５に記載の方法。
【請求項２７】
前記第１のネットワーク装置は、前記第２のネットワーク装置とのシグナリングの交換に応じて、小容量データ転送を妨げるべきか否かを決定するよう構成されている
請求項２３乃至２６のいずれか１項に記載の方法。
【請求項２８】
前記確立手続きの一部としての前記第１のネットワーク装置と前記第２のネットワーク装置との間の前記シグナリングの交換が、前記第１のネットワーク装置から前記第２のネットワーク装置へ送信される問合せ信号を含む
請求項２７に記載の方法。
【請求項２９】
前記小容量データ転送拒否メッセージを前記第１のネットワーク装置から前記移動無線通信装置に直接送信することを含む
請求項２３乃至２８のいずれか１項に記載の方法。
【請求項３０】
前記方法により採用される前記第１のネットワーク装置がＭＴＣ／ＩＷＦ装置を有する
請求項２３に記載の方法。
【請求項３１】
前記方法により採用される前記第２のネットワーク装置がサーバ装置を有する
請求項２３に記載の方法。
【請求項３２】
前記サーバ装置がサービス能力サーバ（Service Capability Server）／アプリケーションサーバ（Application Server）を有する
請求項３１に記載の方法。
【請求項３３】
前記第１のネットワーク装置は、前記第２のネットワーク装置とのシグナリングの交換に応じて、小容量データ転送を妨げるべきか否かを決定するよう構成されている
請求項３０、３１及び３２のいずれか１項に記載の方法。
【請求項３４】
前記確立手続きの一部として前記ネットワーク内で生じる前記シグナリングの交換が、前記ＭＴＣ−ＩＷＦと前記ＳＣＳ／ＡＳとの間の承認／認証シグナリングを含む
請求項３４に記載の方法。
【請求項３５】
前記第２のネットワーク装置がホーム・サブスクライバー・サーバ（Home Subscriber Server）を有する
請求項３３又は３４に記載の方法。
【請求項３６】
前記確立手続きの一部を構成する前記シグナリングの交換が、前記ホーム・サブスクライバー・サーバに向けられた問合せシグナリングを含む
請求項３５に記載の移動無線通信ネットワーク内での小容量データ転送機能の使用を制御する方法。
【請求項３７】
前記ＭＴＣ−ＩＷＦ装置から前記移動無線通信装置への前記小容量データ転送拒否メッセージをさらなるネットワーク装置を介して配信するステップを含む
請求項３０乃至３６のいずれか１項に記載の移動無線通信ネットワーク内での小容量データ転送機能の使用を制御する方法。
【請求項３８】
前記小容量データ転送拒否メッセージが、拒否の原因の明示を含む
請求項３０乃至３７のいずれか１項に記載の方法。
【請求項３９】
サブスクライバ関連の原因又は非サブスクライバ関連の原因の少なくとも一つの明示を有する拒否の原因を含む
請求項３８に記載の方法。
【請求項４０】
前記移動無線通信装置で受信された小容量データ転送拒否メッセージが、移動無線通信装置が前記小容量データ転送機能にアクセスできない時間の長さを制御するための期間情報を含む
請求項３０乃至３９のいずれか１項に記載の方法。
【請求項４１】
前記移動無線通信装置で受信された前記小容量データ転送拒否メッセージが、アプリケーション内の異なる小容量データ転送手続きを区別するための小容量データ転送識別子を含む
請求項３０乃至４０のいずれか１項に記載の方法。
【請求項４２】
前記移動無線通信装置内のアプリケーションの制御のため、前記小容量データ転送拒否メッセージに応じて、前記移動無線通信装置において転送拒否メッセージを生じさせるステップを含む
請求項３０乃至４１のいずれか１項に記載の方法。
【請求項４３】
前記転送拒否メッセージが、拒否の原因の明示、前記移動無線通信装置の前記小容量データ転送機能へのアクセスを妨げる時間の長さを制御するための期間情報、及び小容量データ転送識別子の少なくとも一つを含む
請求項４２に記載の方法。
【請求項４４】
移動無線通信装置から小容量データ転送シグナリングを受信し、ネットワーク内の前記移動無線通信装置のために試みられる小容量データ転送通信の確立手続きの一部として第２の移動無線通信ネットワーク装置へシグナリングを送信するよう構成され、さらに、前記移動無線通信装置に対する小容量データ転送を妨げるべきか否かを決定し、小容量データ転送が拒否される場合には、前記移動無線通信装置の制御用に小容量データ転送拒否メッセージを発動するよう構成された
移動無線通信ネットワーク装置。
【請求項４５】
ＳＧＳＮ／ＭＭＥを有する
請求項４４に記載の移動無線通信ネットワーク装置。
【請求項４６】
前記第２の移動無線通信ネットワーク装置とのシグナリングの交換に応じて、小容量データ転送を妨げるべきか否かを決定するよう構成されている
請求項４４又は４５に記載の移動無線通信ネットワーク装置。
【請求項４７】
前記シグナリングが、前記シグナリングの交換の一部として、前記第２のネットワーク装置への問合せ信号を含むよう構成された
請求項４６に記載の移動無線通信ネットワーク装置。
【請求項４８】
前記小容量データ転送拒否メッセージを前記移動無線通信装置に直接送信するよう構成された
請求項４６又は４７に記載の移動無線通信ネットワーク装置。
【請求項４９】
ＭＴＣ／ＩＷＦ装置を有する
請求項４６に記載の移動無線通信ネットワーク装置。
【請求項５０】
移動無線通信ネットワーク装置間の前記シグナリングの交換が、ＭＴＣ−ＩＷＦとＳＣＳ／ＡＳとの間の承認／認証シグナリングを含むよう構成された
請求項４９に記載の移動無線通信ネットワーク装置。
【請求項５１】
移動無線通信ネットワーク装置間の前記シグナリングの交換が、前記ネットワーク内のホーム・サブスクライバー・サーバ（Home Subscriber Server）に向けられた問合せシグナリングを含むよう構成された
請求項４９に記載の移動無線通信ネットワーク装置。
【請求項５２】
前記小容量データ転送メッセージが、拒否の原因の明示、前記移動無線通信装置の小容量データ転送機能へのアクセスを妨げる時間の長さを制御するための期間情報、及び小容量データ転送識別子の少なくとも一つを含むよう構成された
請求項４４乃至５１のいずれか１項に記載の移動無線通信ネットワーク装置。
【請求項５３】
小容量データ転送サービスへのアクセスを伴いネットワーク内で動作する移動無線通信装置からの小容量データ転送を受信する移動無線通信ネットワーク装置の動作方法であって、前記移動無線通信装置により開始された小容量データ転送シグナリングを受信し、前記移動無線通信装置のために試みられる小容量データ転送通信の確立手続きの一部として、シグナリングを第２の移動無線通信ネットワーク装置に、シグナリングの交換の一部として送信し、前記移動無線通信装置に対する小容量データ転送を妨げるべきか否かを決定し、小容量データ転送が拒否される場合には、前記移動無線通信装置の制御用に小容量データ転送拒否メッセージを発動するステップを含む
移動無線通信ネットワーク装置の動作方法。
【請求項５４】
小容量データ転送を妨げるべきか否かの前記判定は、前記シグナリングの交換に応じて発生する
請求項５３に記載の移動無線通信ネットワーク装置の動作方法。
【請求項５５】
前記方法内における前記ネットワーク装置間の前記シグナリングの交換は、前記移動無線通信ネットワーク装置から前記第２の移動無線通信ネットワーク装置へ送信される問合せ信号を含む
請求項５４に記載の移動無線通信ネットワーク装置の動作方法。
【請求項５６】
前記シグナリングの交換が、ＨＳＳに向けられた問合せシグナリングを含みうる
請求項５４に記載の移動無線通信ネットワーク装置の動作方法。
【請求項５７】
前記小容量データ転送拒否メッセージが、前記第１のネットワーク装置から前記移動無線通信装置に直接送信される
請求項５３乃至５６のいずれか１項に記載の移動無線通信ネットワーク装置の動作方法。
【請求項５８】
前記ネットワーク内で前記方法に関して生じる前記シグナリングの交換が承認／認証シグナリング交換を含む
請求項５４に記載の移動無線通信ネットワーク装置の動作方法。
【請求項５９】
前記小容量データ転送メッセージが、拒否の原因の明示、前記移動無線通信装置の小容量データ転送機能へのアクセスを妨げる時間の長さを制御するための期間情報、及び小容量データ転送識別子の少なくとも一つを含む
請求項５３乃至５８のいずれか１項に記載の移動無線通信ネットワーク装置の動作方法。
【請求項６０】
請求項４４乃至５２のいずれか１項に記載の移動無線通信ネットワーク装置からの小容量データ転送拒否メッセージを受信するよう構成された移動無線通信装置。
【請求項６１】
図面の図３から７のうちの１以上を参照して実質的に述べられる移動無線通信ネットワーク。
【請求項６２】
図面の図３から７のうちの１以上を参照して実質的に述べられる移動無線通信ネットワーク内での小容量データ転送機能の使用を制御する方法。
【請求項６３】
図面の図３から７のうちの１以上を参照して実質的に述べられる移動無線通信ネットワーク装置。
【請求項６４】
図面の図３から７のうちの１以上を参照して実質的に述べられる移動無線通信装置の動作方法。
【発明の詳細な説明】
【技術分野】
【０００１】
本発明は、移動無線通信ネットワーク、並びに小容量データ転送（ＳＤＴ：Small Data Transmission）機能によってネットワーク通信を提供する動作についてのネットワーク装置及び方法に関する。
【背景技術】
【０００２】
移動無線通信ネットワーク内の通信手続きは、さまざまな信号のデータ量を含み得り、また、３ＧＰＰ(3rd Generation Partnership Project)文書における最近の議論では、特に、ＳＤＴ機能及びサービスによる小容量のデータの転送が注目されている。
【０００３】
多くのマシン型通信（ＭＴＣ：Machine Type Communication）アプリケーションは、小容量のデータを送信及び受信する。３ＧＰＰ  ＳＡ１（Services and Systems Aspects）ワーキンググループは、ＭＴＣの可能性のある魅力的な機能の一つとして、ＳＤＴを既に認定した。Ｔｅｃｈｎｉｃａｌ  Ｓｐｅｃｉｆｉｃａｔｉｏｎ  ｄｏｃｕｍｅｎｔ  ＴＳ２２．３６８のs７．２．５によれば、ＭＴＣ機能「小容量データ転送」は、小容量のデータを送信または受信するＭＴＣ装置で使用するためのものであり、データ交換のインスタンスの多くのサイズが１ｋ（１０２４）オクテットのオーダである。
【０００４】
また、特にＴｅｃｈｎｉｃａｌ  Ｒｅｐｏｒｔ  ＴＲ  ２３．８８７のセクション５．１に記載されているように、３ＧＰＰ  ＳＡ２（Services and System Aspects）ワーキンググループは、ＭＴＣｅ・ＳＤＤＴＥ（Small Data and Device Triggering Enhancements）ワークアイテムの一部として、小容量データ転送の最適化を検討している。確認された一つの重要な問題は「効率的な小容量データ転送」に対する願望であり、小容量データ転送に対する以下の機能要件が決定されている。すなわち、シグナリングオーバーヘッド、ネットワークリソース、及び再割り当てのための遅延などのネットワークへの影響を最小の状態で、システムが効率的に小容量のデータの転送をサポートすべきである。
【０００５】
３ＧＰＰ  ＳＡ２ワーキンググループは、既にそのような効率的な伝送のためのいくつかの提案された解決策に合意しており、それらはＴＲ２３．８８７から知られる。
【０００６】
また、その最後の会議（２０１３年７月のＳＡ２  ♯９８）の中で、ＳＡ２は、「Ｔ５／Ｔｓｐ及び一般的なＮＡＳ（Non-Access Stratum）転送を伴うスタンドアローンスモールデータサービス（Standalone Small Data Service）」を標準化のために推薦し、そのスモールデータサービスの様々なユーザの小データユニットを搬送するためのＳＤＴに対するプロトコルが同意されたこと、及びそれがＵＥ（User Equipment）装置及びＳＣＳ／ＡＳ（Service Capability Server/Application Server）におけるサービスアクセスポイント間にわたることを確認した。図1を参照して以下にさらに議論されるように、ＵＥとアプリケーションサーバ（ＡＳ）との間の任意のサービスデータ交換は、ＭＴＣ−ＩＷＦ（Machine Type Communication - Interworking Function）及びＳＣＳを通過することを意図される。小データ転送は、確認された又は未確認の配信サービスとして提供されうる。
【０００７】
ＴＲ２３．８８７から知られている、Ｔ５及びＴｓｐインタフェース上の制御プレーンチャネルを介した上り小容量データ転送（ＳＤＴ）は、また、図２を参照して以下にさらに説明される。
【０００８】
しかし、そのような提案されたプロトコルの詳細は完全に定義されていないので、不完全である。
【０００９】
既存のプロトコルはＳＤＴプロトコルに採用することができるが、現在のプロトコルの簡単な採用が不適切になるだろう多くの新しくかつ特殊な要件が存在する。そのような特殊な問題の一つは、ＵＥとネットワークの両側でＳＤＴの使用を制御する方法である。実際、ＴＲ２３．８８７における編集者メモは、アプリケーションが正常にサービス要求手続きを使用し、この「小容量データ」ＮＡＳ手順を乱用しないことを保証する方法が未解決の問題であることを確認している。しかしながら、接続を解放するためのＭＭＥ（Mobile Management Entity）の能力は、コントロールポイントを提供する。
【００１０】
しかし、さらに、（Ｒ２−１３３０３３）ＳＡ２に対するリエゾン文書（ＬＳ：Liaison Statement）の回答において、ＲＡＮ２ワーキンググループは、他のトラフィックパターンでの使用は容量及びパフォーマンスにおける悪化をもたらすため、小データの特徴に一致するトラフィックのみがＳＤＴソリューションを使用できることを確実にすることが不可欠であることを示唆している。
【００１１】
また、通常のデータ伝送とともに、拒否され得た最初のＰＤＰ／ＰＤＮ（Packet Data Protocol / Packet Data Networks）接続確立が存在するとしても、ＳＤＴサービスとともに、ＳＤＴの送信の前に発生するＰＤＰ／ＰＤＮ接続確立は存在しないことに留意されたい。
【発明の概要】
【発明が解決しようとする課題】
【００１２】
このすべては、ＳＤＴサービス及び特徴の使用のより厳しい制御の必要性を示唆し、要件に準拠しない場合、又はサブスクリプション、トラフィック、デプロイメント、機器故障などの任意の他の理由のためのＳＤＴサービスの拒否のための手段を要求しているが、有効な解決策は存在していない。
【００１３】
本発明は、既知のネットワーク、デバイス、及び方法に優る利点を有する、移動無線通信ネットワーク、ネットワーク装置、及び関連する動作方法を提供することを目的とする。
【００１４】
特に、本発明は、特に、適切な制御および制限を介したＳＤＴサービス要求／試みに対する効率的かつ信頼性のある拒絶により、有利かつ効率的な方法でＳＤＴ機能の使用の制御を提供することを目的とする。
【課題を解決するための手段】
【００１５】
本発明の第１の態様によれば、内部で移動無線通信装置が小容量データ転送（Small Data Transmission）機能へのアクセスを伴う動作を行う移動無線通信ネットワークであって、前記移動無線通信装置により開始された小容量データ転送シグナリングを受信するよう構成された第１のネットワーク装置と、前記ネットワーク内の前記移動無線通信装置のために試みられる小容量データ転送通信の確立手続きの一部として前記第１のネットワーク装置からのシグナリングを受信するよう構成された第２のネットワーク装置と、を有し、前記第１のネットワーク装置は、さらに、前記移動無線通信装置に対する小容量データ転送を妨げるべきか否かを決定し、小容量データ転送が妨げられる場合には、前記移動無線通信装置の制御用に小容量データ転送拒否メッセージを発動するよう構成されている移動無線通信ネットワークが提供される。
【００１６】
好ましくは、前記第１のネットワーク装置は、前記第２のネットワーク装置とのシグナリングの交換に応じて、小容量データ転送を妨げるべきか否かを決定するよう構成されている。
【００１７】
有利には、前記第１のネットワーク装置は、ＳＧＳＮ／ＭＭＥ（Serving GPRS (General Packet Radio Service) Support Node / Mobile Management Entity）を含む。
【００１８】
さらに、前記第２のネットワーク装置は、例えば、ホーム・サブスクライバー・サーバ（ＨＳＳ：Home Subscriber Server）などのサーバ装置を含み得る。
【００１９】
有利には、前記確立手続きの一部としての前記第１のネットワーク装置と前記第２のネットワーク装置との間の前記シグナリングの交換が、前記第１のネットワーク装置から前記第２のネットワーク装置へ送信される、好ましくは小容量データ転送受信者ＩＤの識別のための、問合せ信号を含む。
【００２０】
一つの特定の例示的な実施形態において、ネットワークは前記小容量データ転送拒否メッセージが、前記第１のネットワーク装置から前記移動無線通信装置に直接送信されるよう構成される。
【００２１】
代替の構成において、前記第１のネットワーク装置はＭＴＣ／ＩＷＦ装置を含み得る。
【００２２】
この方法において、前記第２のネットワーク装置は、先と同様に、例えばサービス能力サーバ（Service Capability Server）／アプリケーションサーバ（Application Server）（ＳＣＳ／ＡＳ）などのサーバ装置を含み得る。また、前記ネットワーク内で生じるシグナリングの交換は、前記第１及び第２のネットワーク装置間の前記シグナリングの交換が、前記ＭＴＣ−ＩＷＦと前記ＳＣＳ／ＡＳとの間の承認／認証シグナリングを含むよう構成されうる。
【００２３】
さらなるオプションとして、前記ネットワーク装置がＭＴＣ−ＩＷＦを含む場合、前記第２のネットワーク装置は、ＨＳＳを含み得り、前記第１及び第２のネットワーク装置間のシグナリング交換が上述したようにＨＳＳに向けられた問合せシグナリングを含むようネットワークは構成されうる。
【００２４】
有利にはＭＴＣ−ＩＷＦからの小容量データ転送拒否メッセージは、さらなるネットワーク装置を介して前記移動無線通信装置に配信され、有利には前記さらなるネットワーク装置はＳＧＳＮ／ＭＭＥを含みうる。
【００２５】
有利には、前記小容量データ転送拒否メッセージが、拒否の原因の明示を含みうる。さらには、前記移動無線通信装置は、小容量データ転送拒否メッセージを受信すると、その中で動作し小容量データ転送機能を介したネットワークアクセスを探すアプリケーションへの配信のための転送拒否信号を生成するよう構成されうる。
【００２６】
さらには、前記移動無線通信装置で受信された小容量データ転送拒否メッセージが、移動無線通信装置が前記小容量データ転送機能にアクセスできない時間の長さを制御するための期間情報を含むよう、前記ネットワークは構成されうる。
【００２７】
本発明のもう一つの態様によれば、内部で移動無線通信装置が小容量データ転送機能へのアクセスを伴う動作を行う移動無線通信ネットワーク内での小容量データ転送機能の使用を制御する方法であって、前記移動無線通信装置により開始された小容量データ転送シグナリングを第１のネットワーク装置で受信し、前記ネットワーク内の前記移動無線通信装置のために試みられる小容量データ転送通信の確立手続きの一部として前記第１のネットワーク装置からのシグナリングを第２のネットワーク装置で受信し、前記第１のネットワーク装置で前記移動無線通信装置に対する小容量データ転送を妨げるべきか否かを決定することにより、小容量データ転送が妨げられる場合には、移動無線通信装置の制御用に小容量データ転送拒否メッセージを発動するステップを含む方法が提供される。
【００２８】
好ましくは、前記方法は、前記第２のネットワーク装置とのシグナリングの交換に応じて、小容量データ転送を妨げるべきか否かを決定することを含む。
【００２９】
先と同様に、本発明は、１以上の装置を介して小容量データ転送サービス要求／試みを拒否する機能を有する移動無線通信ネットワークを伴う小容量データ転送の使用の改善された制御を提供する上での利点を証明する。
【００３０】
前記方法内で採用される前記第１のネットワーク装置は、ＳＧＳＮ／ＭＭＥを含み得る。
【００３１】
さらに、前記方法内で採用される前記第２のネットワーク装置は、例えば、ホーム・サブスクライバー・サーバ（ＨＳＳ：Home Subscriber Server）などのサーバ装置を含み得る。有利には、前記確立手続きの一部としての前記第１のネットワーク装置と前記第２のネットワーク装置との間の前記シグナリングの交換が、前記第１のネットワーク装置から前記第２のネットワーク装置へ送信される、小容量データ転送受信者ＩＤを探索するための問合せ信号を含み得る。
【００３２】
一つの特定の例示的な実施形態において、前記方法は、前記小容量データ転送拒否メッセージを、前記第１のネットワーク装置から前記移動無線通信装置に直接送信することを含む。
【００３３】
代替の構成において、前記方法により採用される前記第１のネットワーク装置はＭＴＣ／ＩＷＦ装置を含み得る。
【００３４】
この方法において、前記方法により採用される前記第２のネットワーク装置は、先と同様に、例えばサービス能力サーバ（Service Capability Server）／アプリケーションサーバ（Application Server）（ＳＣＳ／ＡＳ）などのサーバ装置を含み得る。
【００３５】
前記確立手続きの一部として前記ネットワーク内で生じる前記シグナリングの交換は、前記ＭＴＣ−ＩＷＦと前記ＳＣＳ／ＡＳとの間の承認／認証シグナリングを含み得る。
【００３６】
さらなるオプションとして、前記ネットワーク装置がＭＴＣ−ＩＷＦを含む場合、前記第２のネットワーク装置は、ＨＳＳを含み得り、前記確立手続きの一部を構成する前記シグナリング交換が上述したようにＨＳＳに向けられた問合せシグナリングを含むようネットワークは構成される。
【００３７】
有利には、方法は、さらなるネットワーク装置を介して、前記ＭＴＣ−ＩＷＦから前記移動無線通信装置に小容量データ転送拒否メッセージを配信することを含む。
【００３８】
前記方法により採用される前記さらなるネットワーク装置は、ＳＧＳＮ／ＭＭＥを含み得る。
【００３９】
有利には、前記小容量データ転送拒否メッセージが、拒否の原因の明示を含みうる。さらには、前記移動無線通信装置は、小容量データ転送拒否メッセージを受信すると、その中で動作し小容量データ転送機能を介したネットワークアクセスを探すアプリケーションへの配信のための転送拒否信号を生成するよう構成されうる。
【００４０】
さらには、前記移動無線通信装置で受信された小容量データ転送拒否メッセージが、移動無線通信装置が前記小容量データ転送機能にアクセスできない時間の長さを制御するための期間情報を含むよう、前記ネットワークは構成されうる。
【００４１】
本発明のさらに他の態様によれば、移動無線通信装置から小容量データ転送シグナリングを受信し、ネットワーク内の前記移動無線通信装置のために試みられる小容量データ転送通信の確立手続きの一部として第２の移動無線通信ネットワーク装置へシグナリングを送信するよう構成され、さらに、前記移動無線通信装置に対する小容量データ転送を妨げるべきか否かを決定し、小容量データ転送が妨げられる場合には、前記移動無線通信装置の制御用に小容量データ転送拒否メッセージを発動するよう構成された移動無線通信ネットワーク装置が提供される。
【００４２】
好ましくは、前記移動無線通信ネットワーク装置は、前記第２のネットワーク装置とのシグナリングの交換に応じて、小容量データ転送を妨げるべきか否かを決定するよう構成されている。
【００４３】
上記のように、前記移動無線通信ネットワーク装置は、ＳＧＳＮ／ＭＭＥを含み得る。
【００４４】
さらに、前記ネットワーク装置は、前記シグナリングの交換の一部として、前記第２のネットワーク装置への問合せ信号を送信するよう構成されうる。
【００４５】
一つの特定の例示的な実施形態において、前記移動無線通信ネットワーク装置は、小容量データ転送拒否メッセージを前記移動無線通信装置に直接送信するよう構成される。
【００４６】
代替の構成において、前記移動無線通信ネットワーク装置は、ＭＴＣ／ＩＷＦ装置を含み得る。
【００４７】
この方法において、前記移動無線通信ネットワーク装置間の前記シグナリングの交換は、ＭＴＣ−ＩＷＦとＳＣＳ／ＡＳとの間の承認／認証シグナリングを含みうる。
【００４８】
さらなるオプションとして、前記移動無線通信ネットワーク装置間の前記シグナリングの交換は、前記ネットワーク内のＨＳＳに向けられた問合せシグナリングを含み得る。
【００４９】
本発明のさらに他の態様によれば、小容量データ転送サービスへのアクセスを伴いネットワーク内で動作する移動無線通信装置からの小容量データ転送を受信する移動無線通信ネットワーク装置の動作方法であって、前記移動無線通信装置により開始された小容量データ転送シグナリングを受信し、前記移動無線通信装置のために試みられる小容量データ転送通信の確立手続きの一部として、シグナリングを第２の移動無線通信ネットワーク装置に、シグナリングの交換の一部として送信し、前記移動無線通信装置に対する小容量データ転送を妨げるべきか否かを決定し、小容量データ転送が妨げられる場合には、前記移動無線通信装置の制御用に小容量データ転送拒否メッセージを発動するステップを含む移動無線通信ネットワーク装置の動作方法が提供される。
【００５０】
好ましくは、前記方法は、前記第２のネットワーク装置とのシグナリングの交換に応じて、小容量データ転送を妨げるべきか否かを決定することを含む。
【００５１】
有利には、前記方法内における前記ネットワーク装置間の前記シグナリングの交換は、前記移動無線通信ネットワーク装置から前記第２の移動無線通信ネットワーク装置へ送信される問合せ信号を含みうる。
【００５２】
好適には、前記問合せ信号は、小容量データ転送受信者ＩＤデータを得るための探索を行う問合せ信号を含み得る。
【００５３】
一つの特定の例示的な実施形態において、制御方法は、前記小容量データ転送拒否メッセージが、前記第１のネットワーク装置から前記移動無線通信装置に直接送信されるような方法である。
【００５４】
あるいは、前記ネットワーク内で前記方法に関して生じる前記シグナリングの交換が承認／認証シグナリング交換を含みうる。
【００５５】
さらに、前記シグナリングの交換が、ＨＳＳに向けられた問合せシグナリングを含みうる。
【００５６】
もちろん当然のことながら、本発明は、上記で概説したように、移動無線通信ネットワーク内に由来した、小容量データ転送機能へのアクセスに関連する制御シグナリングを、移動無線通信ネットワーク装置から受信するよう構成された移動無線通信装置を提供する。当然のことながら、本発明の方法及び装置、並びに関連するネットワークは、サブスクライバ関連の原因又は非サブスクライバ関連の原因の少なくとも一つの明示を有する拒否の原因を拒否シグナリング内に含むよう構成されうる。
【発明の効果】
【００５７】
本発明は、移動無線通信装置による／のための小容量データ転送サービスの使用可用性の効率的かつ適応可能な制御を提供する上での利点を証明する。移動無線通信装置は、適切な場合に、小容量データ転送サービス要求／試みを拒否する機能を有している。
【図面の簡単な説明】
【００５８】
【図１】図１は、小容量データ転送サービスを採用するように構成された移動無線通信ネットワーク内のネットワークノードのプロトコルスタック構造の概略図である。
【図２】図２は、提案された小容量データ転送手続きの一例を示すシグナリング図である。
【図３】図３は、本発明の例示的な一実施形態による制御シグナリングを示すシグナリング図である。
【図４】図４は、本発明の別の例示的な実施形態による制御シグナリングを示すシグナリング図である。
【図５】図５は、本発明のさらに別の例示的な実施形態による制御シグナリングを示すシグナリング図である。
【図６】図６は、本発明の一実施形態に係る移動無線通信ネットワーク装置の概略図である。
【図７】図７は、本発明の例示的な一実施形態に従った動作のための移動無線通信装置の概略図である。
【発明を実施するための形態】
【００５９】
本発明の例示的な実施の形態について、図面を参照しながら、単なる例として、さらに説明する。
【００６０】
図１を最初に参照すると、図１では移動無線通信ネットワーク１０内のノードの概略図が提供されており、ＵＥ（User Equipment）装置１２、ＭＭＥ（Mobile Management Entity）１４、ＭＴＣ−ＩＷＦ（Machine Type Communication - Interworking Function）１６、ＳＣＳ（Service Capability Server）１８、及びＡＳ（Application Server）２０を含んでいる。
【００６１】
ＭＴＣ−ＩＷＦ１６は、Ｔ５インターフェースプロトコル２２を介してＭＭＥ１４とインターフェースで接続し、Ｔｓｐインターフェースプロトコル２４を介してＳＣＳ１８とインターフェースで接続するように構成されている。
【００６２】
参照を容易にするために、装置１２−２０の各々内のプロトコルスタックの全てではない層が識別されているが、一般的に、ＵＥ１２のプロトコルスタックは、アプリケーション層２６、ＳＤＴユーザ層２８、ＳＤＴ層３０とＮＡＳ（Non-Access Stratum）層３２を含む。
【００６３】
ＭＭＥ１４の中継機能は、ＮＡＳ層３４、Ｔ５インターフェースアプリケーションプロトコル層３６を介して提供される。ＭＴＣ−ＩＷＦ中継機能は、Ｔ５インターフェースアプリケーションプロトコル層３８と、さらに、Ｔｓｐインターフェース２４を介してＳＣＳ１８内のＴｓｐアプリケーションプロトコル層４２に接続するＴｓｐインターフェースアプリケーションプロトコル層４０とを介して達成される。ＳＣＳ１８は、ＴＣＰ（Transmission Control Protocol）層４４と、さらにＳＤＴ層５４及びＴＬＳ（Transport Layer Security）層５６とを含む。
【００６４】
ＡＳ２０のプロトコルスタックは、アプリケーション層４８、ＨＴＴＰ（Hyper Text Transport Protocol）層５０、ＴＬＳ層５２、及びＴＣＰ層４６を含む。
【００６５】
理解されるように、ＳＤＴプロトコルは、ＵＥ１２及びＳＣＳ１８／ＡＳ２０におけるサービスアクセスポイント間にわたる５８、ように構成されている。また、図示のように、ＵＥ１２とＡＳ２０との間の任意のサービスデータ交換は、示されるように、ＭＭＥ１４、ＭＴＣ−ＩＷＦ１６、及びＳＣＳ１８を通過する必要があり、小データ転送は、確認された又は未確認の配信サービスとして提供されうる。
【００６６】
ＳＤＴサービス特徴の提案されたプロトコルのさらなる説明のために、図２が参照される。図２は、３ＧＰＰ  Ｔｅｃｈｎｉｃａｌ  Ｒｅｐｏｒｔ  ＴＲ２３．８８７に提案されているように、Ｔ５及びＴｓｐインタフェース上の制御プレーンチャネルを介した上りＳＤＴを示している。無線リソース制御（ＲＲＣ：Radio Resource Control）とＮＡＳセキュリティ処理の詳細については、具体的には示されていないが、示された手続きの暗黙の一部として考慮されるべきである。
【００６７】
図示されたシグナリングは、アプリケーション６４と関連付けられたＵＥ（User Equipment）６２のような移動無線通信装置、ＳＧＳＮ／ＭＭＥ６６、ＭＴＣ−ＩＷＦ６８、及びＳＣＳ／ＡＳ７０を含むネットワーク環境６０内にある。
【００６８】
まず、ＵＥ６２のアプリケーション６４は、ＳＤＴ−ＰＤＵ（Packet Data Unit：パケットデータユニット）の転送を要求７２し、ＰＤＵの完全性保障などの所望のセキュリティ機能を実行する。
【００６９】
ＳＤＴ−ＰＤＵが、ＮＡＳメッセージ７４においてＳＧＳＮ／ＭＭＥ６６に送信され、ＮＡＳ ＰＤＵのプロトコルタイプが「ＳＤＴ」に設定される。ＳＤＴ−ＰＤＵは、ヘッダ及びペイロードデータを含む。ヘッダ内で、アプリケーションによって既に行われていない場合は、ＵＥ６２は、「ＳＥＮＤＥＲ」フィールドに、ＭＳＩＳＤＮ（Mobile Station International ISDN Number）（分かっている場合）又は外部ＩＤ（External ID）（分かっている場合）を埋め、「ＲＥＣＥＩＶＥＲ」フィールドに、ＳＣＳ／ＡＳ  ＩＤを配置する。サブアドレスフィールドは、アプリケーションの識別を含むことができ、既にアプリケーションによって行われていない場合、ＵＥ６２は任意の要求されたセキュリティ機能、すなわち完全性保障及び／又は暗号化を実行することができる。
【００７０】
ＳＤＴ−ＰＤＵを受信するにあたり、ＳＧＳＮ／ＭＭＥ６６は、送信者ＩＤを検証する。ＳＤＴ−ＰＤＵが送信者ＩＤを全く含んでいない場合、ＳＧＳＮ／ＭＭＥ６６は、送信者ＩＤを追加し、サブスクリプションがホームルーティング（home-routing）を必要としない場合、ＳＧＳＮ／ＭＭＥ６６（図示せず）は、ＨＳＳ（Home Subscriber Server）にＳＤＴ受信者ＩＤについて問合せることによりＳＤＴ−ＰＤＵの送信先を決定し、これにより適切なＭＴＣ−ＩＷＦを決定する。サブスクリプションがホームルーティングを必要とする場合、ＳＧＳＮ／ＭＭＥ６６は、ＵＥのＩＭＳＩ（International Mobile Subscriber Identity）又は送信者ＩＤから適切なＭＴＣ−ＩＷＦを決定する。ＳＧＳＮ／ＭＭＥ６６は、その後、Ｔ５ーＡＰプロトコルを用いてＴ５インタフェースを介してＳＤＴ−ＰＤＵをＭＴＣ−ＩＷＦ６８に送信７６する。
【００７１】
ＭＴＣ−ＩＷＦ６８は、その後、ＳＴＤ−ＰＤＵヘッダにおける「ＲＥＣＥＩＶＥＲ  ＩＤ」フィールドを用いるＳＣＳ／ＡＳ７０を決定し、ＳＴＤ−ＰＤＵ又はＳＤＵをＴｓｐ−ＡＰを用いるＳＣＳ／ＡＳ７０に転送７８する。メッセージを転送する前に、しかし、ＭＴＣ−ＩＷＦ６８は、「ＳＥＮＤＥＲ  ＩＤ」として、ＩＭＳＩ（送信者ＩＤとして示されている場合）をＭＳＩＳＤＮ又は外部ＩＤに代える。
【００７２】
ＳＤＴ−ＰＤＵを受信するにあたり、ＳＣＳ／ＡＳ７０は、メッセージの完全性を検証してもよい。受け取り通知が要求されている場合には、ＳＣＳ／ＡＳ７０は、その後、適切な応答８０、すなわち、ＳＤＴ−ＰＤＵ又はＳＤＵのＴｓｐ転送を確認するためのＴｓｐ−ＡＰ−ＰＤＵ−Ａｃｋを返す。
【００７３】
そのような受け取り通知が要求される場合、ＭＴＣ−ＩＷＦ６８は、ＳＧＳＮ／ＭＭＥ６６にＴ５−ＰＤＵ−Ａｃｋ８２を送信する。
【００７４】
ＳＧＳＮ／ＭＭＥ６６は、その後、ＵＥ６２にＮＡＳ−ＰＤＵ−Ａｃｋ８４を送信し、ＵＥ６２はアプリケーション６４にＳＤＴ−ＰＤＵ又はＳＤＵの転送を確認８６する。
【００７５】
しかしながら、既に上述したように、図１及び２を参照して説明された提案プロトコルは、まだ詳細に欠けており、既存のプロトコルの採用を考える上で、上述のように割り出された欠点が存在する。
【００７６】
ネットワーク内のＵＥによるＳＤＴの採用に関し、特に、ネットワークトラフィックとＳＤＴ機能との間のミスマッチを生じさせ得る、ネットワーク容量及びネットワーク性能の低下を避けるように、制御及び制限の適切なレベルを信頼性のある効率的な方法で達成することは重要なことである。
【００７７】
ここで図３を参照すると、本発明の例示的な一実施形態による、ＳＧＳＮ／ＭＭＥネットワークノードを介したＳＤＴ機能の使用の制御に関するネットワーク内に生じるシグナリングを示すシグナリング図が提供される。
【００７８】
ここでは、ＵＥ９０及び関連するアプリケーション９２を含むネットワーク環境８８が、ＳＧＳＮ／ＭＭＥ９４及びＨＳＳ９６と一緒に示されている。
【００７９】
シグナリングは、ＳＤＴ−ＰＤＵの転送を要求９８するＵＥ９０のアプリケーション９２で始まる。アプリケーション９２は、例えば、３ＧＰＰ  Ｔｅｃｈｎｉｃａｌ  Ｒｅｐｏｒｔ  ＴＲ２３．８８７によって提案された等の完全性保障のような所望のセキュリティ機能を実行することができる。
【００８０】
ＳＤＴ−ＰＤＵは、その後、ＮＡＳメッセージ１００においてＳＧＳＮ／ＭＭＥ９４に送信され、ＮＡＳ−ＰＤＵのプロトコルタイプが「ＳＤＴ」に設定される。
【００８１】
ＳＤＴ−ＰＤＵを受信するにあたり、適切なＭＴＣ−ＩＷＦ（図示せず）を特定するよう、ＳＧＳＮ／ＭＭＥ９４は、ＨＳＳ９６にＳＤＴ受信者ＩＤについて問合せる１０２、ことによりＳＤＴ−ＰＤＵの送信先を決定する。しかしながら、ＳＤＴサービスがＰＬＭＮ（Public Land Mobile Network）によって許可されない（例えば、ローミングの間、訪問ＰＬＭＮ（visiting PLMN）はＳＤＴサービスを許可しなくてもよい）可能性、又はＳＤＴサービスが（支払い保留中又はサービスの不正使用のような理由により）禁止されている可能性がある。もしそうであれば、ＳＧＳＮ／ＭＭＥ９４は、ＨＳＳ問合せ１０２中に、この情報で更新される。
【００８２】
ＨＳＳ問合せ１０２の結果として、ＳＧＳＮ／ＭＭＥ９４は、理想的には次のサービス拒否原因の一つとともにＮＡＳ−ＰＤＵ−拒否メッセージ１０４を送り返すことによりＳＤＴサービスを拒否できる。
サポートされていないサービスオプション：この拒否原因は、ＰＬＭＮによりサポートされていないＳＤＴサービスをＵＥ９０が要求した場合、ＳＧＳＮ／ＭＭＥ９４により使用されうる。拒否原因＝「サポートされていないサービスオプション」を伴うＮＡＳ−ＰＤＵ−拒否メッセージ１０４を受信すると、ＵＥ９０は、（例えば、ＳＤＴ転送非アクティブ状態に入ることにより）ＳＤＴ手続きを無効化しなければならず、かつ、このＰＬＭＮ上の間、他のＳＤＴサービスをトリガしてはならない。ＵＥ９０は、転送拒否メッセージを送信することにより、結果をＳＤＴアプリケーションに示してもよいし、拒否原因を含めてもよい。
要求されたサービスオプションが加入申し込みされていない：この拒否原因は、サブスクリプションのないＳＤＴサービスをＵＥが要求した場合に、ＳＧＳＮ／ＭＭＥ９４によって送信されうる。拒否原因＝「要求されたサービスオプションが加入申し込みされていない」を伴うＮＡＳ−ＰＤＵ−拒否メッセージを受信すると、ＵＥ９０は、ＳＤＴ手続きを無効化しなければならず、かつ、そのＳＤＴアプリケーションからの他のＳＤＴサービスを許可してはならない。ＵＥ９０は、転送拒否メッセージを送信することにより、結果をＳＤＴアプリケーションに示してもよいし、拒否原因を含めてもよい。
オペレータによる制限決定（Operator Determined Barring）：この拒否原因は、ＳＤＴサービスがオペレータによる制限決定により拒否されたことを示すために、ＳＧＳＮ／ＭＭＥによって使用される。拒否原因＝「オペレータによる制限決定」を伴うＮＡＳ−ＰＤＵ−拒否メッセージを受信すると、ＵＥ９０は、ＳＤＴ手続きを無効化しなければならず、かつ、制限が解除されるまで、そのＳＤＴアプリケーションからの他のＳＤＴサービスを許可してはならない。ＵＥ９０は、転送拒否メッセージを送信することにより、結果をＳＤＴアプリケーションに示してもよいし、拒否原因を含めてもよい。
【００８３】
最後に、ＵＥ９０は、ＳＤＴ要求を開始したアプリケーション９２に対し、そのアプリケーション９２による複数のアクティブなＳＤＴ手続きが存在するといけないので、拒否原因、（もしあれば）ｓｄｔ−バック−オフ−タイマ（sdt-back-off-timer）、及びｓｄｔ−ｐｄｕ−ｉｄを含む転送拒否メッセージ１０６を送信することにより、ＳＤＴ手続きの拒否を示すことができる。
【００８４】
ＳＧＳＮ／ＭＭＥ９４が、その他の、以下の拒否原因を伴う非サブスクリプション関連の理由に対しても拒否するための新たなＮＡＳ−ＰＤＵ−拒否メッセージ１０４を採用し得ることも可能である。
リソース不足：この拒否原因は、要求されたＳＤＴサービスがリソース不足のため提供できないことを示すために用いられる。
サービスオプションの一時的な利用不可：この拒否原因は、サービスをサポートするために必要となる１以上の機能が一時的な停止状態にあることに起因して、ネットワークが要求ＳＤＴサービスを使用可能にできない場合に、送信される。
ネットワーク障害：この拒否原因は、ネットワークがエラー状態にあるために、要求されたＳＤＴサービスが拒否されたことを示すために用いられる。
【００８５】
拒否の明示１０４を受信した場合の一つの可能なＵＥ９０の反応は、次のようなものが挙げられうる。
上記拒否原因の一つを伴うＮＡＳ−ＰＤＵ−拒否メッセージを受信すると、ＵＥ９０は、（例えば、ＳＤＴ転送非アクティブ状態に入ることにより）ＳＤＴ手続きを無効化する。ＳＧＳＮ／ＭＭＥ９４がｓｄｔ−バック−オフ−タイマの値を含めた場合、ＵＥ９０は、このタイマーの期間、別のＳＤＴ手続きをトリガしてはならない。また、ＵＥ９０は、サービスが拒否されたＳＤＴアプリケーションに転送拒否メッセージを送信し、その中に、拒否原因、（もしあれば）ｓｄｔ−バック−オフ−タイマ、及び（そのアプリケーションによる複数のＳＤＴ手続きがあれば）ｓｄｔ−ｐｄｕ−ｉｄを含めなければならない。
【００８６】
また、当然のことながら、ＳＤＴサービス拒否に対する上りＮＡＳ転送拒否（UPLINK NAS TRANSPORT REJECT）などの新規又は既存の任意の他のメッセージを上述のような例示的な実施形態の一部として含めることができる。
【００８７】
ここで図４を参照すると、ＳＤＴサービス拒否がＭＴＣ−ＩＷＦによって開始される本発明の別の例示的な実施形態による、ＵＥ１１０及びそれに関連付けられたアプリケーション１１２が存在するネットワーク環境１０８内に生じるシグナリングのためのシグナリング図が提供される。したがって、図示された他のネットワーク要素は、ＳＧＳＮ／ＭＭＥ１１４及びＭＴＣ−ＩＷＦ１１６である。シグナリングは、この場合も先と同様に、アプリケーション１１２からＵＥ１１０への転送要求１１８とその後のＵＥ１１０からＳＧＳＮ／ＭＭＥ１１４へのＮＡＳメッセージ１２０で始まり、ＳＧＳＮ／ＭＭＥ１１４は、次に、Ｔ５−ＡＰインターフェースを介してＭＴＣ−ＩＷＦ１１６へＳＤＴ−ＰＤＵ１２２を送信する。
【００８８】
この例示的な実施形態の一部として、当然のことながら、Ｔ５−ＡＰ−ＰＤＵメッセージを受信すると、ＭＴＣ−ＩＷＦは、ＳＤＴ−ＰＤＵヘッダにおける受信者ＩＤフィールドを使用するＳＣＳ／ＡＳを決定し、ＳＤＴ−ＰＤＵ又はＳＤＵをＴｓｐ＿ＡＰを用いるＳＣＳ／ＡＳに転送する。メッセージを転送する前に、ＭＴＣ−ＩＷＦは、図２に関連して上述したように、Ｔｓｐインターフェース上の送信者ＩＤとしてＩＭＳＩ（送信者ＩＤとして用いられている場合）をＭＳＩＳＤＮ又は外部ＩＤに代える。しかし、いくつかの問題がＭＴＣ−ＩＷＦによるＳＣＳ／ＡＳの選択において発生しうる。３ＧＰＰ  Ｔｅｃｈｎｉｃａｌ  Ｓｐｅｃｉｆｉｃａｔｉｏｎ  ＴＳ２３．６８２の附属書Ａには、ＳＣＳのデプロイメントが、オペレータドメインの内又は外にあってもよいことが記されている。ＳＣＳ／ＡＳノードがオペレータドメインの一部である場合、ＳＣＳ／ＡＳは、モバイルオペレータ内部ネットワークと見なされ、オペレータ制御（operator controlled）であり、オペレータ付加価値サービス（operator value-added services）を提供してもよい。この場合、ＭＴＣ−ＩＷＦとＳＣＳ／ＡＳとの間の通信に対するセキュリティ及びプライバシー保護は、任意である。
【００８９】
しかしながら、ＳＣＳ／ＡＳがオペレータドメインの外にデプロイされた場合、ＳＣＳはＭＴＣサービスプロバイダ制御（MTC Service Provider controlled）である。この場合、ＭＴＣ−ＩＷＦとＳＣＳ／ＡＳとの間の通信に対するセキュリティ及びプライバシー保護が必要とされる。上記のＴＳ２３．６８２は、通信が確立される前に、ＭＴＣ−ＩＷＦがＳＣＳ／ＡＳを承認しなければならいことを強調している。
【００９０】
したがって、本発明のこの更なる例示的な実施形態を鑑みると、ＳＣＳ／ＡＳ（図示せず）の認証に失敗した場合、ＭＴＣ−ＩＷＦ１１６が、新たな拒否原因＝ＳＣＳ−認証−失敗（SCS-authentication-failure）を伴うＴ５−ＡＰ−拒否メッセージ１２４をＳＧＳＮ／ＭＭＥ１１４に返すことによりＳＤＴサービスを拒否することが提案される。
【００９１】
拒否原因＝ＳＣＳ−認証−失敗を伴うＴ５−ＡＰ−拒否メッセージ１２４を受信すると、ＳＧＳＮ／ＭＭＥ１１４は、ＮＡＳ−ＰＤＵ−拒否メッセージ１２６において、ＵＥ１１０に拒否原因を転送する。ＳＧＳＮ／ＭＭＥ１１４は、また、ＮＡＳ−ＰＤＵ−拒否メッセージ１２６においてｓｄｔ−バック−オフ−タイマを提供してもよく、ＳＧＳＮ／ＭＭＥ１１４は、任意のＳＣＳアクセスセキュリティ問題を解決するためのＳＣＳ識別手続きを開始してもよい。ＵＥ１１０は、転送拒否メッセージ１２８をアプリケーション１１２に送信することができる。
【００９２】
ＳＣＳ−認証−失敗を受信した場合の一つの可能なＵＥの反応は、次のようなものが挙げられうる。
ＵＥ１１０はＳＤＴ手続きを無効化しなければならず、かつ、ｓｄｔ−バック−オフ−タイマが提供された場合、ＵＥ１１０は、ｓｄｔ−バック−オフ−タイマの満了前に別のＳＤＴ手続きをトリガしてはならない。
【００９３】
もちろん、ＳＣＳ／ＡＳノード選択は、例えば技術的な又は輻輳の理由といった他の理由によっても失敗しうることが理解されよう。この場合、同じメッセージであるＴ５−ＡＰ−ＰＤＵ−拒否メッセージ１２４が以下のような一般的なサービス障害原因とともに使用されうる。
リソースが不足：この拒否原因は、要求されたＳＤＴサービスがリソース不足のため提供できないことを示すためにＳＣＳによって用いられる。
サービスオプションの一時的な利用不可：この拒否原因は、サービスをサポートするために必要となる１以上の機能が一時的な停止状態にあることに起因して、ネットワークが要求ＳＤＴサービスを使用可能にできない場合に、ＳＣＳによって送信される。
ネットワーク障害：この拒否原因は、ネットワークがエラー状態にあるために、要求されたＳＤＴサービスが拒否されたことを示すためにＳＣＳによって用いられる。
【００９４】
本発明のさらに別の実施例として、今回は、上記の図３に関連して説明したものと同様なＨＳＳ問合せに関連し、かつ、ＭＴＣ−ＩＷＦによるＳＤＴサービス拒否に関連して生じるシグナリングを示す図５が参照される。
【００９５】
この更なる例示的な実施形態にしたがって示されるようなネットワーク環境１３０は、ＵＥ１３２及び関連付けられたアプリケーション１３４を含み、また、ＳＧＳＮ／ＭＭＥ１３６、ＭＴＣ−ＩＷＦ１３８、及びＨＳＳ１４０ネットワークノードを含む。
【００９６】
最初のシグナリングは、この場合も先と同様に、転送要求１４２、ＮＡＳ１４４、及びＳＤＴ−ＰＤＵ１４６シグナリングを含む。
【００９７】
この例示的な実施形態では、小データ転送セキュリティがＳＧＳＮ／ＭＭＥ１３６によりオフロードされ、関連した機能がＭＴＣ−ＩＷＦ１３８に移動される場合、ＭＴＣ−ＩＷＦ１３８はＨＳＳ１４０に接続されうる。ＵＥ１３２によりトリガーされたＳＤＴ手続きの間、ＭＴＣ−ＩＷＦ１３８は、ＨＳＳ１４０に、進行中のＳＤＴに関連した最新のサブスクリプション情報について問合せる１４８、こととなる。この場合、ＭＴＣ−ＩＷＦ１３８は、また、サブスクリプションの失敗のためにＳＤＴサービスを拒絶することができるであろう。そのようなＨＳＳ問合せ１４８の結果として、ＭＴＣ−ＩＷＦ１３８は、サポートされていないサービスオプション、要求されたサービスオプションが加入申し込みされていない、オペレータによる決定、といったこれらの以前に示されたサービス拒否原因の一つとともにＴ５−ＡＰ−ＰＤＵ−拒否メッセージ１５０を送り返すことにより、ＳＤＴサービスを拒否することができるだろう。
【００９８】
ＳＧＳＮ／ＭＭＥ１３６がＴ５−ＡＰ−ＰＤＵ−拒否メッセージ１５０を受信すると、ＳＧＳＮ／ＭＭＥ１３６は、ＮＡＳ−ＰＤＵ−拒否メッセージ１５２をＵＥ１３２に送信することによりＳＤＴサービスを拒否する（上記の拒否原因の一つを伴うＮＡＳ−ＰＤＵ−拒否メッセージ１５２を受信した際の動作は、図３に関連して上述したような動作となりうる）。ＵＥ１３２は、転送拒否メッセージ１５４をアプリケーション１３４に送信することができる。
【００９９】
ここで図６を参照すると、例えば、上述したようなＳＧＳＮ／ＭＭＥ及びＭＴＣ−ＩＷＦであるが、これに限定されない移動無線通信ネットワーク装置１５６の一例の概略図が提供される。
【０１００】
装置１５６は、インターフェース機能１６０と動作的に接続した標準的な送信／受信回路１５８を含む。装置１５６は、また、認証／問合せ機能１６２及びＳＤＴ拒絶メッセージイニシエーター１６４を含み、両者は制御機能１６６の制御下にある。
【０１０１】
認証又は問合せ機能のいずれか一方を、１６４経由かつコントローラ１６６の制御下でのＳＤＴ拒否メッセージの生成をもたらすように第２の移動無線通信ネットワーク装置が装置１５６と信号を交換することになっている方法で、要素１６２において提供することができることが理解されるであろう。
【０１０２】
図７に関しては、本発明を具体化する移動無線通信装置１６７を含むＵＥ装置の概略図が示されている。
【０１０３】
ＵＥ装置１６７は、アンテナ機能１７０と動作的に接続した標準的な送信／受信機能１６８を含む。標準的なものとして、ＵＥ装置１６７は、メモリ１７２、コントローラ１７４、プロセッサ１７６、及びユーザインターフェース１７８を含む。しかしながら、この例示的な実施形態では、コントローラ１７４は、ネットワーク内のＳＤＴ機能へのアクセスを禁止するために、例えば図６において示されたようなネットワーク装置から受信したシグナリングメッセージに応答するように構成されたＳＤＴコントローラを含む。コントローラ１７４は、上述したように転送拒否信号を提供する装置１６７内で実行しようとするアプリケーションと通信する手段を含むことができる。また、ＳＤＴコントローラ１７４は、特定の期間のＳＤＴ禁止を制限するために、ネットワーク装置からのシグナリング内において提供されたタイミング情報に応答するタイマ機能を含むことができる。
【０１０４】
上記から理解されるように、本発明は、データ伝送のためのネットワークアクセスを探す際に、移動無線通信装置によるＳＤＴ機能の使用を効果的かつ効率的に制御するために、ネットワーク内での制御／制限シグナリングの生成、及び移動無線通信装置への以後の配信を提供する。
【０１０５】
本発明は、有利には、３ＧＰＰにより新たに定義されるＳＤＴ手続きにおいて起こりうる障害事例の分析、及びネットワーク及びＵＥにおけるそのような障害に対する応答方法も考慮することができる。
【０１０６】
これに対し、発明は有利には、以下を提供する：
ＳＧＳＮ／ＭＭＥとＭＴＣ−ＩＷＦ−Ｔ５との間のＴ４インタフェースにおけるメッセージ：Ｔ５−ＡＰ−ＰＤＵー拒否；
ＵＥとＳＧＳＮ／ＭＭＥとの間のメッセージ：ＮＡＳ−ＰＤＵ−拒否；
ＵＥとＳＤＴアプリケーションとの間のメッセージ：転送−拒否；
Ｔ５−ＡＰ−ＰＤＵ−拒否及びＮＡＳ−ＰＤＵ−拒否メッセージにおける拒否原因「ＳＣＳ−認証−失敗」；
新たなメッセージＴ５−ＡＰ−ＰＤＵ−拒否及びＮＡＳ−ＰＤＵ−拒否における既存の拒否原因の使用；
新たなメッセージＮＡＳ−ＰＤＵ−拒否及び転送−拒否におけるｓｄｔ−バック−オフ−タイマ；
ＮＡＳ−ＰＤＵ−拒否及び転送−拒否メッセージにおけるｓｄｔ−ｐｄｕ−ｉｄパラメータ；及び
ＭＴＣ−ＩＷＦによるＳＤＴサービスの拒否の際のＳＧＳＮ／ＭＭＥの動作。
【０１０７】
しかしながら、当然のことながら、主に３Ｇ無線アクセス技術（ＲＡＴ：Radio Access Technology）に関して上述したが、本発明は、いずれかの特定のＲＡＴに関連した適用に限定されるものではない。例えば、本発明の概念は、ＧＳＭ（登録商標）システム及び装置などの２Ｇ ＲＡＴにも同様に適用可能である。このようにして、モバイル及びネットワーク装置への上述の参照は、同様に、そのような別のＲＡＴの関連するモバイル及びネットワーク装置への参照を同様に含むことができることが理解されるであろう。例えば、ＭＭＥ／ＳＧＳＮへの上記参照に代わるものとして、ＭＳＣ（Mobile Switching Centre）への参照を考えることができ、ＨＳＳへの参照に代わるものとして、ＨＬＲ（Home Location Register）への参照を考えることができる。
【０１０８】
本発明は上記の例示的な実施形態に限定されるものではなく、特許請求の範囲の記載に基づいて当業者によって種々の変更がなされ得ることは明らかである。
【０１０９】
この出願は、２０１３年１０月２５日に出願された英国特許出願第１３１８９０１．４に基づく優先権の利益を主張し、参照によりその開示の全体が本明細書に組み込まれる。
【符号の説明】
【０１１０】
１０    移動無線通信ネットワーク
１２、６２、９０、１１０、１３２    ＵＥ
１４    ＭＭＥ
１６    ＭＴＣ−ＩＷＦ
１８    ＳＣＳ
２０    ＡＳ
２６    アプリケーション層
２８    ＳＤＴユーザ層
３０、５４    ＳＤＴ層
３２、３４    ＮＡＳ層
３６、３８    Ｔ５インターフェースアプリケーションプロトコル層
４０、４２    Ｔｓｐインターフェースアプリケーションプロトコル層
４４、４６    ＴＣＰ層   
４８    アプリケーション層
５０    ＨＴＴＰ層
５２、５６    ＴＬＳ層
６０、８８、１０８、１３０    ネットワーク環境
６４、９２、１１２、１３４    アプリケーション
６６、９４、１１４、１３６    ＳＧＳＮ／ＭＭＥ
６８、１１６、１３８    ＭＴＣ−ＩＷＦ
７０    ＳＣＳ／ＡＳ
９６、１４０    ＨＳＳ
１５６    装置
１５８    送信／受信回路
１６０    インターフェース機能
１６２    認証／問合せ機能
１６４    ＳＤＴ拒絶メッセージイニシエーター
１６６    コントローラ
【図１】
2016533054.tif 000003
【図２】
2016533054.tif 000004
【図３】
2016533054.tif 000005
【図４】
2016533054.tif 000006
【図５】
2016533054.tif 000007
【図６】
2016533054.tif 000008
【図７】
2016533054.tif 000009
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
移動無線通信装置から小容量データ転送（Small Data Transmission）シグナリングを受信し、ネットワーク内の前記移動無線通信装置のために試みられる小容量データ転送通信の確立手続きの一部として第２の移動無線通信ネットワーク装置へシグナリングを送信するよう構成され、さらに、前記移動無線通信装置に対する小容量データ転送を妨げるべきか否かを決定し、小容量データ転送が拒否される場合には、前記移動無線通信装置の制御用に小容量データ転送拒否メッセージを発動するよう構成された
移動無線通信ネットワーク装置。
【請求項２】
前記第２の移動無線通信ネットワーク装置とのシグナリングの交換に応じて、小容量データ転送を妨げるべきか否かを決定するよう構成されている
請求項１に記載の移動無線通信ネットワーク装置。
【請求項３】
ＭＴＣ−ＩＷＦ装置を有する
請求項２に記載の移動無線通信ネットワーク装置。
【請求項４】
移動無線通信ネットワーク装置間の前記シグナリングの交換が、ＭＴＣ−ＩＷＦとＳＣＳ／ＡＳとの間の承認／認証シグナリングを含むよう構成された
請求項３に記載の移動無線通信ネットワーク装置。
【請求項５】
移動無線通信ネットワーク装置間の前記シグナリングの交換が、前記ネットワーク内のホーム・サブスクライバー・サーバ（Home Subscriber Server）に向けられた問合せシグナリングを含むよう構成された
請求項３に記載の移動無線通信ネットワーク装置。
【請求項６】
前記小容量データ転送拒否メッセージが、拒否の原因の明示、前記移動無線通信装置の小容量データ転送機能へのアクセスを妨げる時間の長さを制御するための期間情報、及び小容量データ転送識別子の少なくとも一つを含むよう構成された
請求項１乃至５のいずれか１項に記載の移動無線通信ネットワーク装置。
【請求項７】
内部で移動無線通信装置が小容量データ転送機能へのアクセスを伴う動作を行う移動無線通信ネットワークであって、前記移動無線通信装置により開始された小容量データ転送シグナリングを受信するよう構成された第１のネットワーク装置と、前記ネットワーク内の前記移動無線通信装置のために試みられる小容量データ転送通信の確立手続きの一部として前記第１のネットワーク装置からのシグナリングを受信するよう構成された第２のネットワーク装置と、を有し、前記第１のネットワーク装置は、さらに、前記移動無線通信装置に対する小容量データ転送を妨げるべきか否かを決定し、小容量データ転送が拒否される場合には、前記移動無線通信装置の制御用に小容量データ転送拒否メッセージを発動するよう構成されている
移動無線通信ネットワーク。
【請求項８】
小容量データ転送サービスへのアクセスを伴いネットワーク内で動作する移動無線通信装置からの小容量データ転送を受信する移動無線通信ネットワーク装置の動作方法であって、前記移動無線通信装置により開始された小容量データ転送シグナリングを受信し、前記移動無線通信装置のために試みられる小容量データ転送通信の確立手続きの一部として、シグナリングを第２の移動無線通信ネットワーク装置に、シグナリングの交換の一部として送信し、前記移動無線通信装置に対する小容量データ転送を妨げるべきか否かを決定し、小容量データ転送が拒否される場合には、前記移動無線通信装置の制御用に小容量データ転送拒否メッセージを発動するステップを含む
移動無線通信ネットワーク装置の動作方法。
【請求項９】
内部で移動無線通信装置が小容量データ転送機能へのアクセスを伴う動作を行う移動無線通信ネットワーク内での小容量データ転送機能の使用を制御する方法であって、前記移動無線通信装置により開始された小容量データ転送シグナリングを第１のネットワーク装置で受信し、前記ネットワーク内の前記移動無線通信装置のために試みられる小容量データ転送通信の確立手続きの一部として前記第１のネットワーク装置からのシグナリングを第２のネットワーク装置で受信し、前記第１のネットワーク装置で前記移動無線通信装置に対する小容量データ転送を妨げるべきか否かを決定することにより、小容量データ転送が拒否される場合には、移動無線通信装置の制御用に小容量データ転送拒否メッセージを発動するステップを含む
方法。
【請求項１０】
請求項１乃至６のいずれか１項に記載の移動無線通信ネットワーク装置からの小容量データ転送拒否メッセージを受信するよう構成された移動無線通信装置。
【手続補正２】
【補正対象書類名】明細書
【補正対象項目名】０１０８
【補正方法】変更
【補正の内容】
【０１０８】
本発明は上記の例示的な実施形態に限定されるものではなく、特許請求の範囲の記載に基づいて当業者によって種々の変更がなされ得ることは明らかである。
上記の実施形態の一部又は全部は、以下の付記のようにも記載され得るが、以下には限られない。
（付記１）
内部で移動無線通信装置が小容量データ転送機能へのアクセスを伴う動作を行う移動無線通信ネットワークであって、前記移動無線通信装置により開始された小容量データ転送シグナリングを受信するよう構成された第１のネットワーク装置と、前記ネットワーク内の前記移動無線通信装置のために試みられる小容量データ転送通信の確立手続きの一部として前記第１のネットワーク装置からのシグナリングを受信するよう構成された第２のネットワーク装置と、を有し、前記第１のネットワーク装置は、さらに、前記移動無線通信装置に対する小容量データ転送を妨げるべきか否かを決定し、小容量データ転送が拒否される場合には、前記移動無線通信装置の制御用に小容量データ転送拒否メッセージを発動するよう構成されている
移動無線通信ネットワーク。
（付記２）
前記第１のネットワーク装置がＳＧＳＮ／ＭＭＥを有する
付記１に記載の移動無線通信ネットワーク。
（付記３）
前記第２のネットワーク装置がサーバ装置を有する
付記１又は２に記載の移動無線通信ネットワーク。
（付記４）
前記サーバがホーム・サブスクライバー・サーバ（Home Subscriber Server）を有する
付記３に記載の移動無線通信ネットワーク。
（付記５）
前記第１のネットワーク装置は、前記第２のネットワーク装置とのシグナリングの交換に応じて、小容量データ転送を妨げるべきか否かを決定するよう構成されている
付記１乃至４のいずれか１項に記載の移動無線通信ネットワーク。
（付記６）
前記確立手続きの一部としての前記第１のネットワーク装置と前記第２のネットワーク装置との間の前記シグナリングの交換が、前記第１のネットワーク装置から前記第２のネットワーク装置へ送信される問合せ信号を含むよう構成された
付記５に記載の移動無線通信ネットワーク。
（付記７）
前記小容量データ転送拒否メッセージが、前記第１のネットワーク装置から前記移動無線通信装置に直接送信されるよう構成された
付記１乃至６のいずれか１項に記載の移動無線通信ネットワーク。
（付記８）
前記第１のネットワーク装置がＭＴＣ／ＩＷＦ装置を有する
付記１に記載の移動無線通信ネットワーク。
（付記９）
前記第２のネットワーク装置がサーバ装置を有する
付記８に記載の移動無線通信ネットワーク。
（付記１０）
前記サーバがサービス能力サーバ（Service Capability Server）／アプリケーションサーバ（Application Server）を有する
付記９に記載の移動無線通信ネットワーク。
（付記１１）
前記第１のネットワーク装置は、前記第２のネットワーク装置とのシグナリングの交換に応じて、小容量データ転送を妨げるべきか否かを決定するよう構成されている
付記８、９及び１０のいずれか１項に記載の移動無線通信ネットワーク。
（付記１２）
前記第１及び第２のネットワーク装置間の前記シグナリングの交換が、前記ＭＴＣ−ＩＷＦと前記ＳＣＳ／ＡＳとの間の承認／認証シグナリングを含むよう構成された
付記１１に記載の移動無線通信ネットワーク。
（付記１３）
前記第２のネットワーク装置がホーム・サブスクライバー・サーバ（Home Subscriber Server）を有する
付記１１又は１２に記載の移動無線通信ネットワーク。
（付記１４）
前記第１及び第２のネットワーク装置間の前記シグナリングの交換が、前記ホーム・サブスクライバー・サーバに向けられた問合せシグナリングを含むよう構成された
付記１３に記載の移動無線通信ネットワーク。
（付記１５）
前記ＭＴＣ−ＩＷＦ装置から前記移動無線通信装置への前記小容量データ転送拒否メッセージをさらなるネットワーク装置を介して配信するよう構成された
付記８乃至１４のいずれか１項に記載の移動無線通信ネットワーク。
（付記１６）
前記さらなるネットワーク装置がＳＧＳＮ／ＭＭＥを有する
付記１５に記載の移動無線通信ネットワーク。
（付記１７）
前記小容量データ転送拒否メッセージが、拒否の原因の明示を含むよう構成された
付記１乃至１６のいずれか１項に記載の移動無線通信ネットワーク。
（付記１８）
前記拒否の原因の明示が、サブスクリプション関連の原因又は非サブスクリプション関連の原因の一つを示すよう構成された
付記１７に記載の移動無線通信ネットワーク。
（付記１９）
前記移動無線通信装置で受信された前記小容量データ転送拒否メッセージが、移動無線通信装置が前記小容量データ転送機能にアクセスできない時間の長さを制御するための期間情報を含むよう構成された
付記１乃至１８のいずれか１項に記載の移動無線通信ネットワーク。
（付記２０）
前記移動無線通信装置で受信された前記小容量データ転送拒否メッセージが、アプリケーション内の異なる小容量データ転送手続きを区別するための小容量データ転送識別子を含むよう構成された
付記１乃至１９のいずれか１項に記載の移動無線通信ネットワーク。
（付記２１）
前記移動無線通信装置内のアプリケーションの制御のため、前記小容量データ転送拒否メッセージに応じて、転送拒否メッセージが前記移動無線通信装置において発動されるよう構成された
付記１乃至２０のいずれか１項に記載の移動無線通信ネットワーク。
（付記２２）
前記転送拒否メッセージが、拒否の原因の明示、前記移動無線通信装置の前記小容量データ転送機能へのアクセスを妨げる時間の長さを制御するための期間情報、及び小容量データ転送識別子の少なくとも一つを含む
付記２１に記載の移動無線通信ネットワーク。
（付記２３）
内部で移動無線通信装置が小容量データ転送機能へのアクセスを伴う動作を行う移動無線通信ネットワーク内での小容量データ転送機能の使用を制御する方法であって、前記移動無線通信装置により開始された小容量データ転送シグナリングを第１のネットワーク装置で受信し、前記ネットワーク内の前記移動無線通信装置のために試みられる小容量データ転送通信の確立手続きの一部として前記第１のネットワーク装置からのシグナリングを第２のネットワーク装置で受信し、前記第１のネットワーク装置で前記移動無線通信装置に対する小容量データ転送を妨げるべきか否かを決定することにより、小容量データ転送が拒否される場合には、移動無線通信装置の制御用に小容量データ転送拒否メッセージを発動するステップを含む
方法。
（付記２４）
前記方法内で採用される前記第１のネットワーク装置がＳＧＳＮ／ＭＭＥを有する
付記２３に記載の方法。
（付記２５）
前記方法内で採用される前記第２のネットワーク装置がサーバ装置を有する
付記２３又は２４に記載の方法。
（付記２６）
前記サーバ装置がホーム・サブスクライバー・サーバ（Home Subscriber Server）を有する
付記２５に記載の方法。
（付記２７）
前記第１のネットワーク装置は、前記第２のネットワーク装置とのシグナリングの交換に応じて、小容量データ転送を妨げるべきか否かを決定するよう構成されている
付記２３乃至２６のいずれか１項に記載の方法。
（付記２８）
前記確立手続きの一部としての前記第１のネットワーク装置と前記第２のネットワーク装置との間の前記シグナリングの交換が、前記第１のネットワーク装置から前記第２のネットワーク装置へ送信される問合せ信号を含む
付記２７に記載の方法。
（付記２９）
前記小容量データ転送拒否メッセージを前記第１のネットワーク装置から前記移動無線通信装置に直接送信することを含む
付記２３乃至２８のいずれか１項に記載の方法。
（付記３０）
前記方法により採用される前記第１のネットワーク装置がＭＴＣ／ＩＷＦ装置を有する
付記２３に記載の方法。
（付記３１）
前記方法により採用される前記第２のネットワーク装置がサーバ装置を有する
付記２３に記載の方法。
（付記３２）
前記サーバ装置がサービス能力サーバ（Service Capability Server）／アプリケーションサーバ（Application Server）を有する
付記３１に記載の方法。
（付記３３）
前記第１のネットワーク装置は、前記第２のネットワーク装置とのシグナリングの交換に応じて、小容量データ転送を妨げるべきか否かを決定するよう構成されている
付記３０、３１及び３２のいずれか１項に記載の方法。
（付記３４）
前記確立手続きの一部として前記ネットワーク内で生じる前記シグナリングの交換が、前記ＭＴＣ−ＩＷＦと前記ＳＣＳ／ＡＳとの間の承認／認証シグナリングを含む
付記３４に記載の方法。
（付記３５）
前記第２のネットワーク装置がホーム・サブスクライバー・サーバ（Home Subscriber Server）を有する
付記３３又は３４に記載の方法。
（付記３６）
前記確立手続きの一部を構成する前記シグナリングの交換が、前記ホーム・サブスクライバー・サーバに向けられた問合せシグナリングを含む
付記３５に記載の移動無線通信ネットワーク内での小容量データ転送機能の使用を制御する方法。
（付記３７）
前記ＭＴＣ−ＩＷＦ装置から前記移動無線通信装置への前記小容量データ転送拒否メッセージをさらなるネットワーク装置を介して配信するステップを含む
付記３０乃至３６のいずれか１項に記載の移動無線通信ネットワーク内での小容量データ転送機能の使用を制御する方法。
（付記３８）
前記小容量データ転送拒否メッセージが、拒否の原因の明示を含む
付記３０乃至３７のいずれか１項に記載の方法。
（付記３９）
サブスクライバ関連の原因又は非サブスクライバ関連の原因の少なくとも一つの明示を有する拒否の原因を含む
付記３８に記載の方法。
（付記４０）
前記移動無線通信装置で受信された小容量データ転送拒否メッセージが、移動無線通信装置が前記小容量データ転送機能にアクセスできない時間の長さを制御するための期間情報を含む
付記３０乃至３９のいずれか１項に記載の方法。
（付記４１）
前記移動無線通信装置で受信された前記小容量データ転送拒否メッセージが、アプリケーション内の異なる小容量データ転送手続きを区別するための小容量データ転送識別子を含む
付記３０乃至４０のいずれか１項に記載の方法。
（付記４２）
前記移動無線通信装置内のアプリケーションの制御のため、前記小容量データ転送拒否メッセージに応じて、前記移動無線通信装置において転送拒否メッセージを生じさせるステップを含む
付記３０乃至４１のいずれか１項に記載の方法。
（付記４３）
前記転送拒否メッセージが、拒否の原因の明示、前記移動無線通信装置の前記小容量データ転送機能へのアクセスを妨げる時間の長さを制御するための期間情報、及び小容量データ転送識別子の少なくとも一つを含む
付記４２に記載の方法。
（付記４４）
移動無線通信装置から小容量データ転送シグナリングを受信し、ネットワーク内の前記移動無線通信装置のために試みられる小容量データ転送通信の確立手続きの一部として第２の移動無線通信ネットワーク装置へシグナリングを送信するよう構成され、さらに、前記移動無線通信装置に対する小容量データ転送を妨げるべきか否かを決定し、小容量データ転送が拒否される場合には、前記移動無線通信装置の制御用に小容量データ転送拒否メッセージを発動するよう構成された
移動無線通信ネットワーク装置。
（付記４５）
ＳＧＳＮ／ＭＭＥを有する
付記４４に記載の移動無線通信ネットワーク装置。
（付記４６）
前記第２の移動無線通信ネットワーク装置とのシグナリングの交換に応じて、小容量データ転送を妨げるべきか否かを決定するよう構成されている
付記４４又は４５に記載の移動無線通信ネットワーク装置。
（付記４７）
前記シグナリングが、前記シグナリングの交換の一部として、前記第２のネットワーク装置への問合せ信号を含むよう構成された
付記４６に記載の移動無線通信ネットワーク装置。
（付記４８）
前記小容量データ転送拒否メッセージを前記移動無線通信装置に直接送信するよう構成された
付記４６又は４７に記載の移動無線通信ネットワーク装置。
（付記４９）
ＭＴＣ／ＩＷＦ装置を有する
付記４６に記載の移動無線通信ネットワーク装置。
（付記５０）
移動無線通信ネットワーク装置間の前記シグナリングの交換が、ＭＴＣ−ＩＷＦとＳＣＳ／ＡＳとの間の承認／認証シグナリングを含むよう構成された
付記４９に記載の移動無線通信ネットワーク装置。
（付記５１）
移動無線通信ネットワーク装置間の前記シグナリングの交換が、前記ネットワーク内のホーム・サブスクライバー・サーバ（Home Subscriber Server）に向けられた問合せシグナリングを含むよう構成された
付記４９に記載の移動無線通信ネットワーク装置。
（付記５２）
前記小容量データ転送メッセージが、拒否の原因の明示、前記移動無線通信装置の前記小容量データ転送機能へのアクセスを妨げる時間の長さを制御するための期間情報、及び小容量データ転送識別子の少なくとも一つを含むよう構成された
付記４４乃至５１のいずれか１項に記載の移動無線通信ネットワーク装置。
（付記５３）
小容量データ転送サービスへのアクセスを伴いネットワーク内で動作する移動無線通信装置からの小容量データ転送を受信する移動無線通信ネットワーク装置の動作方法であって、前記移動無線通信装置により開始された小容量データ転送シグナリングを受信し、前記移動無線通信装置のために試みられる小容量データ転送通信の確立手続きの一部として、シグナリングを第２の移動無線通信ネットワーク装置に、シグナリングの交換の一部として送信し、前記移動無線通信装置に対する小容量データ転送を妨げるべきか否かを決定し、小容量データ転送が拒否される場合には、前記移動無線通信装置の制御用に小容量データ転送拒否メッセージを発動するステップを含む
移動無線通信ネットワーク装置の動作方法。
（付記５４）
小容量データ転送を妨げるべきか否かの前記判定は、前記シグナリングの交換に応じて発生する
付記５３に記載の移動無線通信ネットワーク装置の動作方法。
（付記５５）
前記方法内における前記ネットワーク装置間の前記シグナリングの交換は、前記移動無線通信ネットワーク装置から前記第２の移動無線通信ネットワーク装置へ送信される問合せ信号を含む
付記５４に記載の移動無線通信ネットワーク装置の動作方法。
（付記５６）
前記シグナリングの交換が、ＨＳＳに向けられた問合せシグナリングを含みうる
付記５４に記載の移動無線通信ネットワーク装置の動作方法。
（付記５７）
前記小容量データ転送拒否メッセージが、前記第１のネットワーク装置から前記移動無線通信装置に直接送信される
付記５３乃至５６のいずれか１項に記載の移動無線通信ネットワーク装置の動作方法。
（付記５８）
前記ネットワーク内で前記方法に関して生じる前記シグナリングの交換が承認／認証シグナリング交換を含む
付記５４に記載の移動無線通信ネットワーク装置の動作方法。
（付記５９）
前記小容量データ転送メッセージが、拒否の原因の明示、前記移動無線通信装置の前記小容量データ転送機能へのアクセスを妨げる時間の長さを制御するための期間情報、及び小容量データ転送識別子の少なくとも一つを含む
付記５３乃至５８のいずれか１項に記載の移動無線通信ネットワーク装置の動作方法。
（付記６０）
付記４４乃至５２のいずれか１項に記載の移動無線通信ネットワーク装置からの小容量データ転送拒否メッセージを受信するよう構成された移動無線通信装置。
（付記６１）
図面の図３から７のうちの１以上を参照して実質的に述べられる移動無線通信ネットワーク。
（付記６２）
図面の図３から７のうちの１以上を参照して実質的に述べられる移動無線通信ネットワーク内での小容量データ転送機能の使用を制御する方法。
（付記６３）
図面の図３から７のうちの１以上を参照して実質的に述べられる移動無線通信ネットワーク装置。
（付記６４）
図面の図３から７のうちの１以上を参照して実質的に述べられる移動無線通信装置の動作方法。
【国際調査報告】
2016533054.tif 000010